(57)【要約】      （修正有）【課題】要介護者が自由に自力にて単純方向移動ではなく、広範囲に移動する事が可能である住宅構造、大規模建築物等の構造及び吊り上げ手法を提供する。【解決手段】要介護者が室内や健常者用トイレ、浴室はもちろんの事、広範囲に移動必要な大規模医療施設、介護施設、店舗、モールに至るまで自力にて自由に利用できる事を可能とする為に、要介護者を吊り下げる多数の器具を広範囲に移動可能とした天井に格子状等多角形、または円形に組み込だガイド用レールシステムを設け、ガイドレール６１内外に設ける吊り下げ用シャフト６４の両側にボールベアリング機能付半球形または球形の回転体を有する吊り下げ機具を設けた。【選択図】図７
2012024529.tif 000002
【特許請求の範囲】
【請求項１】
居室一室、または住宅、及び大規模建築物、工作物に用いられ、要介護者を吊り下げる器具を広範囲に移動可能とした天井に格子状等多角形、または円形に組み込だガイド用レールシステム。
【請求項２】
ガイドレール内外に設ける吊り下げ用シャフトの片側または両側にボールベアリング機能付半球形または球形の回転体を有する吊り下げ機具。
【請求項３】
ボールベアリング機能付半球形または球形回転体の横方向ずれ防止用欠き込みを有するガイドレール。
【請求項４】
ボールベアリング機能付半球形または球形回転体のレベル変化による方向転換位置確認用欠き込み。
【発明の詳細な説明】
【技術分野】
【０００１】  本発明は、主にリハビリ介助用住宅、または居室一室、大規模建築物、工作物に用いられ、要介護者が自由に自力にて単純方向移動ではなく、広範囲に移動する事が可能である住宅構造、大規模建築物等の構造及び吊り上げ手法に関する。
【背景技術】
【０００２】  図１の従来例歩行訓練器具１０はフレーム１３を吊り上げた歩行用トロリー１１をレール１２に取付け、前後一方向に駆動でき、常時決まった通路しか移動しない事務作業等への応用等が考えられていた。（例えば、特許文献１参照。）また、図２の移動用リフト２０は支柱２３間に配設されたレール２２にシート２４を吊り上げた従来例トロリ２１をセットし、狭い範囲でベッドから車椅子やポータブルトイレへの移動、浴室で浴槽への移動用として利用されていた。その他、シートに腰掛け吊り上げたまま床走行可能な電動介護リフト（例えば、非特許文献１参照。）や、図３、図４、図５で示すように、介護リハビリ住宅システムは部屋、健常者用トイレ、浴室、玄関等を囲んだ天井付近に配設された一対以上のガイド用レール３１と３１とのスパン間にガイド用レール３１に垂直に交わる方向へレール３２が配設され、一対以上のガイド用レールの範囲内を単純移動ではなく、３６０度広範囲に移動する事が可能となり、要介護者は自力にて室内や健常者用トイレ、浴室まで自由な利用が可能となる効果を発揮する事ができ、図３のＡ−Ａ断面図４０は、天井付近に配設された一対以上のガイド用レール３１と３１とのスパン間に、ガイド用レール３１に垂直に交わる方向へレール３２が配設されている。また、ガイド用レール３１のセットや、レール３２の可動に必要な空間である本発明開口部３３を配設している介護リハビリ住宅システム（特許出願整理番号Ｎ３１４０７２０−５参照。）がある。
【先行技術文献】
【特許文献】
【０００３】
【特許文献１】  特許３２９２６４８
【非特許文献】
【０００４】
【非特許文献１】  「グリーンカタログＶＯＬ、１２」、社団法人シルバーサービス振興会
【０００５】
【非特許文献２】  「特許出願整理番号Ｎ３１４０７２０−５」
【発明の概要】
【発明が解決しようとする課題】
【０００６】  従来例の介助やリハビリ住宅は介護ベッド、簡易トイレ、手すり、室内用車椅子、及び歩行訓練器具が配設されていた。要介護者は、怪我や病気等により殆ど介護ベッドに寝たきりの状態にて時を過ごす為、益々自力での簡易トイレや車椅子の使用が容易でなくなり、介助師等の介助が必要であった。今後益々高齢化が進む社会に於いて、要介護者の自尊心を傷つけない為にもトイレや入浴、歩行訓練等が介助なしに行なえる事が可能なシステム住宅や一室の居室、または広範囲に移動必要な大規模医療施設、介護施設、店舗、モールが必要である大きな問題があった。【０００７】  本発明は、このような不具合を解消する為になされたものであり、要介護者が室内や健常者用トイレ、浴室はもちろんの事、広範囲に移動必要な大規模医療施設、介護施設、店舗、モールまで自力にて自由に利用できる事を可能とした事が特徴である住宅等建築物構造及び吊り上げ手法の提供を目的とするものである。
【課題を解決するための手段】
【０００８】  上記不具合を解決するために、本発明は次のような構成としている。
請求項１に記載した  居室一室、または住宅、及び大規模建築物、工作物に用いられ、要介護者を吊り下げる器具を広範囲に移動可能とする為、天井に格子状等多角形または円形に組み込だガイド用レールシステムを設けた事により、ガイド用レールの範囲内であれば自力にての移動が可能となった。また、居室等の出入り口は天井までの高さを要する扉が必要となるが、界壁は天井まで設けることが可能となりプライバシーを確保できた。【０００９】  請求項２に記載した吊り下げ機具は、ガイド用レール内外に設ける吊り下げ用シャフトの片側または両側にボールベアリング機能付半球形または球形の回転体を有する事で、スムーズな移動が可能となった。【００１０】  請求項３に記載したガイド用レールはボールベアリング機能付半球形または球形回転体の移動中横方向ずれによるぶれ防止用として、ボールベアリング機能付半球形または球形回転体の接するレール部に欠き込みを設けた。【００１１】  請求項４に記載した欠き込みは、ガイドレールの交差部に於いて、ボールベアリング機能付半球形または球形回転体ずれ防止用欠き込みより、更にレベルを落とし込む事で方向転換位置確認が利用者に理解できるシステムとなった。
【発明の効果】
【００１２】  以上説明したように本発明によれば、天井に格子状等多角形または円形に組み込だガイド用レールシステムとし、ボールベアリング機能付半球形または球形の回転体を吊り下げ機具に設け、移動中横方向ずれによるぶれ防止用や、方向転換位置確認としての欠き込みにより要介護者は自力にて自尊心を傷つけることなく、室内や健常者用トイレ、浴室から広範囲に移動必要な大規模医療施設、介護施設、店舗、モールにいたるまで自由な利用が可能となる効果を発揮する事ができた。
【図面の簡単な説明】
【００１３】
【図１】  図１は従来例の特許３２９２６４８歩行訓練器具の立面図
【図２】  図２は従来例の［非特許文献１］「グリーンカタログＶＯＬ、１２」、（社団法人シルバーサービス振興会）アーチパートナーを示す透視図
【図３】  図３は従来例のシステムを示す平面図
【図４】  図４は従来例平面図３のＡ−Ａ断面図
【図５】  図５は従来例平面図３の透視図
【図６】  図６は本発明リハビリ介助用吊りガイドシステム透視図
【図７】  図７は本発明リハビリ介助用吊りガイド格子形タイプ配置透視図
【図８】  図８は本発明リハビリ介助用吊りガイドドアシステム立面図
【図９】  図９は従来例ボールベアリング斜視図
【図１０】  図１０は図６の拡大図
【図１１】  図１１は図７のガイド交差部Ｂ−Ｂ断面図
【発明を実施するための形態】
【００１４】  以下、本発明の実施の形態を図６〜図１１に基づいて説明する。
【００１５】  図３で示すように、従来例の介護リハビリ住宅システムは部屋、健常者用トイレ、浴室、玄関等を囲んだ天井付近に配設された一対以上のガイド用レール３１と３１とのスパン間にガイド用レール３１に垂直に交わる方向へレール３２が配設され、一対以上のガイド用レールの範囲内を単純移動ではなく、３６０度広範囲に移動する事が可能となり、要介護者は自力にて室内や健常者用トイレ、浴室まで自由な利用が可能となる効果を発揮する事ができた。更に図４、図５にて詳細に説明する。
【００１６】  図４に於いて従来例平面図３のＡ−Ａ断面図４０は、天井付近に配設された一対以上のガイド用レール３１と３１とのスパン間に、ガイド用レール３１に垂直に交わる方向へレール３２が配設されている。また、ガイド用レール３１のセットや、レール３２の可動に必要な空間である従来例開口部３３を配設している。
【００１７】  図５は従来例平面図３の透視図５０である。歩行用であり前後に移動可能な要介護者を吊り下げる器具をセットしたレール３２の両サイド先端を、このレールに垂直に交わる方向に対向する壁面上部である天井付近に配設されたガイド用レール３１にセットする事により、前後のみならず左右への移動が可能となり、要介護者が天井付近に配設された一対以上のガイド用レール３１スパンの範囲内を単純移動ではなく、３６０度広範囲に移動する事が可能となった。
【００１８】  図７は本発明リハビリ介助用吊りガイド格子形タイプ配置透視図７０である。
ガイドレール材６１を格子状に組み込むことにより、吊り下げ用シャフト６４はガイドレール材６１の直下であれば移動は可能である。
【００１９】  図６で示すように、本発明ガイド用レールの斜視図６０は、ガイドレール材６１の底に設けたガイド用開口部６６より、ボールベアリング機能付半球形または球形の回転体６３と一体である吊り下げ用シャフト６４が、移動中横方向ずれによるぶれ防止用欠き込み６２を介して下がっている。また、ガイドレール材６１の横には吊り下げ用シャフトの点検、交換用開口部６５を設けている。更に図９、図１０、図１１にて詳細に説明する。
【００２０】  図９は従来例ボールベアリングの斜視図９０である。従来例ボールベアリングは空洞９４を有する固定リング９３の外周を回転体Ｂ９２と回転体Ａ９１により構成されている。
【００２１】  図１０は図６の拡大図である。本発明ガイド用レールの拡大斜視図１００はボールベアリング機能付半球形または球形の回転体６３をガイドレール材６１の内部に配設しているパターンではあるが、もちろん、外部に設ける事もできる。
【００２２】  図１１で示すように、本発明格子状ガイドレールシステムＢ−Ｂ断面図１１０には本発明方向転換位置確認用欠き込み１１１を設けている。
【００２３】  図８は本発明リハビリ介助用吊りガイドドアシステム立面図であり、居室等の出入り口立面図８０では本発明リハビリ介助用吊りガイド格子７０に吊り下げ用シャフト６４を配設している。また、天井までの高さを要する扉８３は床８２から天井８１に近いリハビリ介助用吊りガイド格子７０下まで必要とする。
【符号の説明】
【００２４】１０    従来例の特許３２９２６４８歩行訓練器具
１１    従来例歩行用トロリ
１２    レール
１３    フレーム
２０    従来例移動用リフト
２１    従来例トロリ
２２    レール
２３    支柱
２４    シート
３０    従来例のシステムを示す平面図
３１    従来例ガイド用レール
３２    従来例レール
３３    従来例開口部
４０    従来例平面図３のＡ−Ａ断面図
５０    従来例平面図３の透視図
６０    本発明ガイド用レールの斜視図
６１    ガイドレール材
６２    移動中横方向ずれによるぶれ防止用欠き込み
６３    ボールベアリング機能付半球形または球形の回転体
６４    吊り下げ用シャフト
６５    吊り下げ用シャフトの点検、交換用開口部
６６    ガイド用開口部
７０    本発明リハビリ介助用吊りガイド格子形タイプ配置透視図
８０    居室等の出入り口立面図
８１    天井
８２    床
８３    天井までの高さを要する扉
９０    従来例ボールベアリング斜視図
９１    従来例ボールベアリング回転体Ａ
９２    従来例ボールベアリング回転体Ｂ
９３    従来例ボールベアリング固定リング
９４    従来例ボールベアリング空洞
１００  本発明ガイド用レールの拡大斜視図
１１０  本発明格子状ガイドレールシステムＢ−Ｂ断面図
１１１  本発明方向転換位置確認用欠き込み
【図１】
2012024529.tif 000003
【図２】
2012024529.tif 000004
【図３】
2012024529.tif 000005
【図４】
2012024529.tif 000006
【図５】
2012024529.tif 000007
【図６】
2012024529.tif 000008
【図７】
2012024529.tif 000009
【図８】
2012024529.tif 000010
【図９】
2012024529.tif 000011
【図１０】
2012024529.tif 000012
【図１１】
2012024529.tif 000013